(57)【要約】【課題】シート上に画像を形成するユニットと画像形成されたシートを綴じ合わせる後処理ユニットを省スペース内に設置可能であると共にシートジャムなどのメンテナンスが容易である画像形成装置を提供する。【解決手段】シートに画像形成する画像形成ユニットと、画像形成されたシートを綴じ合わせる後処理ユニットと、この両ユニットを取り付ける装置フレームとから構成する。このとき装置フレームの下部に画像形成ユニットを、上部に後処理ユニットを組み込み、後処理ユニットは下部の画像形成ユニットを開閉可能に装置フレームに連結する。【選択図】図６
2012093670.tif 000002
【特許請求の範囲】
【請求項１】
シート上に画像形成する画像形成ユニットと、
前記画像形成ユニットから送られたシートを部揃え集積して綴じ合わせる後処理ユニットと、
前記画像形成ユニットと前記後処理ユニットを取付ける装置フレームと、
から構成され、
前記装置フレームは、
複数の設置脚と、
この複数の設置脚の上下部に設けられた上部取付スペース及び下部取付スペースと、
を有し、
前記上部取付スペースには前記後処理ユニットが、下部取付スペースには前記画像形成ユニットが、それぞれ組み込まれ、
前記後処理ユニットは、下部取付スペースの画像形成ユニットに対して開放するように前記装置フレームに開閉可能に連結され、
前記画像形成ユニットは、装置フレームに位置決め固定されていることを特徴とする画像形成装置。
【請求項２】
前記後処理ユニットは、
前記画像形成ユニットから送られたシートを折り処理する処理トレイと、
前記画像形成ユニットから送られたシートを折り処理することなく収納する単シートスタックトレイと、
前記処理トレイから送られたシートを収納する折シートスタックトレイと、
前記画像形成ユニットから送られたシートを前記処理トレイと単シートスタックトレイに選択的に案内する排紙経路と、
を備え、
前記画像形成ユニットは、画像形成したシートを前記排紙経路に導くように前記装置フレームに位置決め固定されていることを特徴とする請求項１に記載の画像形成装置。
【請求項３】
前記処理トレイと単シートスタックトレイとは、
前記画像形成ユニットからシートを搬出する方向に対し、
前記処理トレイにシートを搬入する方向は同一方向、
前記単シートスタックトレイにシートを搬入する方向は反対方向、
となるように配置されていることを特徴とする請求項２に記載の画像形成装置。
【請求項４】
前記折シートスタックトレイは、前記単シートスタックトレイの上部に配置され、
この折シートスタックトレイに折シートを搬入する方向は前記単シートスタックトレイにシートを搬入する方向と同一方向であることを特徴とする請求項３に記載の画像形成装置。
【請求項５】
前記後処理ユニットは、
前記画像形成ユニットからシートを搬出する方向に対し、搬出方向下流側に位置するユニット端部を中心に開閉可能に構成されていることを特徴とする請求項１に記載の画像形成装置。
【発明の詳細な説明】
【技術分野】
【０００１】
本発明は、順次シート上に画像形成し、このシートを部揃え集積して綴じ処理と折り処理を施す画像形成装置に係わり、画像形成ユニットと後処理ユニットのハウジング構造の改良に関する。
【背景技術】
【０００２】
一般にこの種の画像形成装置は、プリンタ、複写機、ファクシミリなどの画像形成部と、画像形成されたシートを部揃え集積して後処理する後処理部で構成され、装置ハウジングに画像形成部と後処理部を内蔵して両者を一体的に構成する装置構成と、画像形成装置に後処理装置を連設して構成するシステム構成が知られている。
【０００３】
後者の個別の装置ハウジングを有する画像形成装置と後処理装置を連設するシステム構成として、例えば特許文献１が知られている。同文献には、画像形成装置の排紙口に後処理装置を連設するシステム構成が開示され、画像形成装置の側方に後処理装置を配置したシステム構成が提案されている。このように画像形成装置の横に後処理装置を連設するシステム構成では、装置の設置スペースが大きくなる問題が知られている。
【０００４】
そこで、引用文献２には、画像形成装置の上部に後処理装置を配置するシステム構成が開示されている。同文献には画像形成装置の上部に後処理装置を載置し、画像形成されたシートを上方に搬出して後処理する装置構成がその図５に提案されている。
【０００５】
また、特許文献３には互いに関連する複数の装置を共通の装置フレームに装着してシステムを構成することが提案されている。同文献にはラック形状の装置フレームに画像形成装置とスキャナ装置を搭載し、スキャナ装置で読み取ったデータでシート上に画像形成するシステムが開示されている。このようにフレーム枠内に複数の装置を据付固定してシステム装置を構成することも知られている。
【先行技術文献】
【特許文献】
【０００６】
【特許文献１】日本国特許公開２００８−１８４３２５号公報
【特許文献２】日本国特許第３２８０３０４号公報（図５）
【特許文献３】日本国特許第３４８２９６０号公報
【発明の概要】
【発明が解決しようとする課題】
【０００７】
上述のように画像形成装置と後処理装置を併設して画像形成されたシートを後処理する場合に、従来は特許文献１のように画像形成装置の排紙口の側部に後処理装置を据え付けている。このため据付スペースが必要となり設置スペース大型化を招いている。
【０００８】
そこで、画像形成装置の上部に後処理装置を配置し、給紙部、画像形成部、後処理部、収納部の順にシートを下から上に送る過程で画像形成と後処理を行う装置構成が、据付面積の省スペース化から要求されている。従来このような装置は、単一の装置ハウジングに画像形成部、後処理部、収納部を内蔵して単一の装置として構成している。
【０００９】
しかし、例えば後処理を必要としないプリンタ装置として使用する場合と、後処理を必要とするＤＴＰ装置として使用する場合のようにオプションに応じてシステムを構成することが要求され、同時に据付スペースの省スペース化が要求される。
【００１０】
そこで本発明者は画像形成部ユニットと後処理ユニットを分離手構成し、この両者を据付フレームに装着して画像形成システムを構成するとの知見に基づき、画像形成部から後処理部にシートを確実に移送し、画像形成部のメンテナンスが容易であるシステム構成を案出するに至った。
【００１１】
本発明はシート上に画像を形成するユニットと画像形成されたシートを綴じ合わせる後処理ユニットを省スペース内に設置可能であると共にシートジャムなどのメンテナンスが容易である画像形成装置の提供をその課題としている。更に本発明は、画像形成ユニットの上部に後処理ニユットを配置する場合に、画像形成ユニットに後処理ユニットの荷重が付加されることなく、両ユニットを堅牢に保持することが可能な画像形成装置の提供をその課題としている。
【課題を解決するための手段】
【００１２】
上記課題を達成するため本発明は、シートに画像形成する画像形成ユニットと、画像形成されたシートを綴じ合わせる後処理ユニットと、この両ユニットを取り付ける装置フレームとから構成する。このとき装置フレームの下部に画像形成ユニットを、上部に後処理ユニットを組み込み、後処理ユニットは下部の画像形成ユニットに対して開閉可能に装置フレームに連結することを特徴としている。
【００１３】
更にその構成を詳述すると、シート上に画像形成する画像形成ユニット（Ａ）と、画像形成ユニットから送られたシートを部揃え集積して綴じ合わせる後処理ユニット（Ｂ）と、画像形成ユニットと後処理ユニットを取付ける装置フレーム（６０）とを備える。そして装置フレームには、複数の設置脚（６１ａ〜６１ｆ）と、この複数の設置脚の上下部に設けられた上部取付スペース（６０Ｂ）及び下部取付スペース（６０Ａ）を設ける。
【００１４】
そこで上部取付スペースには後処理ユニットを、下部取付スペースには画像形成ユニットをそれぞれ組み込み、後処理ユニットは、下部取付スペースの画像形成ユニットに対して開放するように装置フレームに開閉可能に連結され、画像形成ユニットは、装置フレームに位置決め固定する。
【発明の効果】
【００１５】
本発明は、装置フレームの下部取付スペースに画像形成ユニットを、上部取付スペースに後処理ユニットを組み込み、後処理ユニットは下部の画像形成ユニットに対して開放するように開閉可能に連結し、画像形成ユニットは装置フレームに位置決め固定したものであるから以下の効果を奏する。
【００１６】
画像形成ユニットと後処理ユニットは装置フレームに位置固定されているから、画像形成ユニットから搬出されたシートを後処理ユニットに確実に移送することが出来る。従って画像形成と後処理の各ユニットは装置フレームに位置決め固定されているから、据付作業時にユニット間に位置ズレが生ずる恐れがない。
【００１７】
また、装置フレームの下部取付スペースに画像形成ユニットを、上部取付スペースに後処理ユニットを配置しているから、据付面積の省スペース化が可能である。
【００１８】
更に本発明は、画像形成ユニットに画像形成部から送り出したシートを収容するスタックトレイを設け、このトレイ上に後処理ユニットの処理トレイを配置することによって画像形成ユニットを単体で使用する場合と同様に後処理ユニットにシートを引き渡すことが可能となる。
【００１９】
また、後処理ユニットに処理シートのスタックトレイと処理しないシートのスタックトレイを配置し、この後処理ユニットを装置フレームに下部の画像形成ユニットに対して開放するように開閉可能に連結することによって、後処理ユニットの開放で画像形成ユニットにシートジャムなどが生じたときの処理が容易である。
【００２０】
本発明は、設置脚を有する装置フレームの下部取付スペースに画像形成ユニットを、上部取付スペースに後処理ユニットをそれぞれ個別に組み込むものであるから、後処理ニユットの荷重は装置フレームの設置脚に掛かり画像形成ユニットに後処理ニユットの荷重が及ぶことがない。
【図面の簡単な説明】
【００２１】
【図１】本発明に係わる画像形成装置の全体構成の説明図。
【図２】図１の装置における画像形成部の構成を示す説明図。
【図３】図１の装置における後処理部の構造を示す説明図。
【図４】（ａ）はサイド整合板の構成を示し、（ｂ）は綴じ処理手段の構成説明図。
【図５】折り処理手段の構成説明図。
【図６】装置フレームの斜視構造図。
【図７】後処理ユニットの開放図。
【図８】後処理ユニットの経路開放を示し、（ａ）は折シート搬出経路の開放状態図であり、（ｂ）は単シート搬出経路の開放状態図。
【図９】本発明に係わる制御構成を示す説明図。
【発明を実施するための形態】
【００２２】
本発明に係わる画像形成装置Ｃはシート上に画像形成する画像形成ユニットＡと、このユニットで画像形成されたシートを部揃え集積して製本処理する後処理ユニットＢで構成される。図１に示す画像形成ユニットＡはシートを供給する給紙部Ａ１と、給紙部から送られたシートに画像を形成する画像形成部Ａ２と、画像形成されたシートを後続する後処理ユニットＢに搬出する排紙部Ａ３で構成されている。
【００２３】
給紙部Ａ１は画像形成部Ａ２にシートを供給し、画像形成部Ａ２はシート上に画像形成して排紙部Ａ３から下流側の後処理ユニットＢに搬出する。また、後処理ユニットＢは、排紙部Ａ３から送られたシートを部揃え集積して製本処理する後処理部Ｂ１と、スタック部Ｂ２で構成されている。図１に示す画像形成ユニットＡと後処理ユニットＢとは、分離したユニットで構成され、後述する装置フレーム６０に一体的に収納されている。各ユニットの構成について説明する。
【００２４】
［画像形成ユニット］
上述の画像形成ユニットＡの構成を図１に従って説明する。画像形成ユニットＡは、外装ケーシング１０に給紙部Ａ１と画像形成部Ａ２と排紙部Ａ３と、表裏反転部Ａ４が組み込まれている。
【００２５】
給紙部Ａ１は単一若しくは複数の給紙カセット１１（１１ａ、１１ｂ）と、各カセットからシートを繰り出す給紙ローラ１２とで構成され、給紙カセット１１は外装ケーシング１０に着脱可能に装着されている。各給紙カセット１１には図示しないが給紙ローラ１２で繰り出したシートを１枚に分離する分離手段が設けられている。この分離手段はシートの重送を阻止する分離爪、分離パッド、分離ローラなどで構成する。
【００２６】
画像形成部Ａ２は給紙部Ａ１の下流側（図１上方）に給紙経路１３を介して配置されている。この給紙経路１３にはシート先端をスキュー修正するレジストローラ１４が設けられ、給紙部Ａ１から送られたシートを先端揃えする。
【００２７】
画像形成部Ａ２は、図２に詳細な構造を示すが、レジストローラ１４から送られたシートに画像を形成する。図示の装置はこの画像形成部を、静電転写式画像形成機構で構成する場合を示している。この他、画像形成部Ａ２としてはインクジェット式、オフセット式、熱転写式などの画像形成機構が採用可能である。
【００２８】
上記レジストローラ１４の下流側に転写部１５が配置され、この転写部１５には転写ロール（チャージャロール）１８と中間転写ベルト２１がシート搬送経路を介して対向配置されている。そして中間転写ベルト２１に形成されたトナー画像を転写ロール１８でシート上に転写する。このため転写ロール１８の表面は帯電（チャージング）されている。
【００２９】
中間転写ベルト２１は図２矢印方向（時計方向）に回転し、その周囲にＹ・Ｍ・Ｃ・Ｋの静電ドラム１６（１６ａ、１６ｂ、１６ｃ、１６ｄ）と転写ロール１７（１７ａ、１７ｂ、１７ｃ、１７ｄ）が対向配置されている。
【００３０】
各静電ドラム１６にはレーザヘッド１９（１９ａ、１９ｂ、１９ｃ、１９ｄ）と現像器２０（２０ａ、２０ｂ、２０ｃ、２０ｄ）が設けられている。図示２２（２２ａ、２２ｂ、２２ｃ、２２ｄ）は各静電ドラム１６に配置したクリーナであり、図示２３は中間転写ベルト２１に配置したベルトクリーナである。
【００３１】
このような構成で画像制御部（不図示）に転送されたデータに基づいてレーザヘッド１９をコントロールし、ＹＭＣＫの色成分毎に静電ドラム１６上に静電潜像を形成する。そしてこの静電潜像に現像器２０でトナーインクを付着し、中間転写ベルト２１に転写ロール（チャージャ）１７で静電吸着する。
【００３２】
これによって中間転写ベルト２１にはＹＭＣＫの各色成分の画像が合成され、ベルトの回転で転写部１５に移送される。この中間転写ベルト２１の画像形成とレジストローラ１４でタイミング調整されたシートが転写部１５に繰り出され、転写ロール１８で中間転写ベルト２１上の画像をシート表面に転写する。この転写部１５の下流側には定着器２４が設けられ、シート上に転写した画像を加熱定着する。
【００３３】
特に図１の装置は、同図に示すように給紙部Ａ１の給紙カセット１１からシートを繰り出すシート給紙方向Ｓｋを略水平方向に配置し、これから転写部１５にシートを給送する給紙経路１３のシート給送方向Ｓｙを略鉛直方向に配置し、中間転写ベルト２１の走行方向Ｖｋをシート給紙方向Ｓｋに対し水平方向に配置することを特徴としている。これにより、図１のように給紙カセット１１と中間転写ベルト２１が略々平行に配置され、画像形成ユニットＡのコンパクト化を達成している。
【００３４】
上記定着器２４の下流側には排紙部Ａ３が排紙経路２５として配置されている。この排紙経路２５は定着器２４に連結され、加熱定着されたシートを後述する後処理ユニットＢの収納スタッカ３２（３３）に搬出する。この排紙経路２５のシート排紙方向Ｓｚは給紙カセット１１からシートを繰出すシート給紙方向Ｓｋと反対方向に設定されている。このようなレイアウト構成によって給紙カセット１１の上方に中間転写ベルト２１と画像形成機構（静電ドラム１６、現像器２０など）が配置され、その上方にシートを後処理するための処理トレイ３４が配置されることとなり、装置のコンパクト化を達成している。
【００３５】
［表裏反転部］
前記転写部１５で片面に画像形成したシートを表裏反転して裏面に画像形成する表裏反転部Ａ４の構成を図２及び図３に従って説明する。上記排紙部Ａ３には、排紙経路２５から送られたシートを表裏反転させて再び転写部１５に案内する循環経路２７が配置されている。この循環経路２７は、図３にその一部を示すように排紙経路２５から分岐して連結され、排紙経路２５に沿って搬出されたシートをスイッチバック（搬送方向を反転）させて装置内に再び搬入する。このため排紙経路２５と循環経路２７との間にはガイドフラッパ２５ｆが設けられ、図示しない駆動手段（電磁ソレノイドなど）で排紙経路２５から搬出されたシート後端を循環経路２７に案内する。
【００３６】
循環経路２７は図２に示すようにスイッチバックさせたシートを表裏反転してレジストローラ１４に案内し、転写部１５で裏面側に画像形成するパス形状に構成されている。そして転写部１５で裏面に画像形成されたシートは排紙経路２５から下流側に搬出される。
【００３７】
上述のように画像形成ユニットＡの排紙経路２５には、後述する後処理ユニットＢが配置され、この後処理ユニットＢの処理トレイ３４が排紙経路２５に連結するように配置されている（図１参照）。そして画像形成ユニットＡの排紙経路２５から搬出されたシート先端は処理トレイ３４上に搬入され、シート後端から循環経路２７に還送される。
【００３８】
［後処理ユニット］
後処理ユニットＢの構成を図３に従って説明する。この後処理ユニットＢは、画像形成ユニットＡの上方に配置され、後処理部Ｂ１と、スタック部Ｂ２で構成されている。後処理部Ｂ１は画像形成ユニットＡから送られたシートを部揃え集積する「部揃え機能」と、部揃えしたシート束を綴じ合わせる「綴じ機能」と、このシート束を折りあわせる「折り処理機能」を備えている。
【００３９】
そして部揃え機能は、画像形成ユニットＡから送られたシートを処理トレイ上にページ順に集積する。また綴じ機能は部揃え集積されたシート束を、その中央部を中綴じし、折り処理機能は中央綴じ位置で折り合わせる。これによって片面或いは両面に画像形成されたシートはページ順に部揃えされ、シート中央部を綴じ処理して折り合わせてマガジン仕上げされることとなる。またスタック部Ｂ２は、画像形成ユニットＡから送られたシートをマガジン仕上げすることなく収納する単シートスタッカ３２とマガジン仕上げされたシート束を収納する折シートスタッカ３３で構成される。
【００４０】
上述の後処理部Ｂ１とスタック部Ｂ２は図３に示すように外装ケーシング３０に、下方に後処理部Ｂ１が、上方にスタック部Ｂ２が配置され、スタック部Ｂ２は単シートスタッカ３２の上方に折シートスタッカ３３が配置されている。以下後処理部Ｂ１、スタック部Ｂ２の順に説明する。
【００４１】
［後処理部］
後処理部Ｂ１の構成を図３に従って説明する。この後処理部Ｂ１は処理トレイ３４と、このトレイに配置された「綴じ処理手段５０」と「折り処理手段５５」と「シート束移送手段４６」で構成されている。
【００４２】
「処理トレイ」
図３に示すように処理トレイ３４は、画像形成ニユットＡの排紙経路２５の下流側に配置され、この排紙経路２５から搬出されたシートを部揃え集積する。このため排紙経路２５の経路出口２５ａに排紙パス２５ｘが連設され、この排紙パス２５ｘに連なるように処理トレイ３４が配置されている。
【００４３】
上記排紙パス２５ｘは、図３に示すように排紙経路２５のシート排紙方向Ｓｚと同一方向に配置され、略直線形状に構成されている（以下、この排紙パスを「直線経路」という）。そして処理トレイ３４は紙載面３４ａを有するトレイ形状に形成され、直線経路２５ｘの経路出口から送られたシートを積載収納する。
【００４４】
上記処理トレイ３４には、昇降ローラ３６が配置され、この昇降ローラ３６は紙載面３４ａ上の最上シートと係合する作動位置と、これから退避した待機位置との間で昇降するように図示しない昇降機構を備えている。この昇降ローラ３６はシートが処理トレイ３４に進入する際には待機位置に待機し、シート端が進入した後に作動位置（シートと接する位置）に降下し、同時に図３反時計方向（シート進入方向）に回転する。
【００４５】
また、上記処理トレイ３４にはシートの後端（先端であっても良い）を位置規制する規制部材３７が設けられ、直線経路２５ｘから送られたシートを予め設定した基準位置に整合する。図３の装置はシートの排紙方向後端縁を規制する規制部材３７が紙載面３４ａから積載方向上方に突出する突き当て部材で構成してある。この規制部材３７は紙載面３４ａに固定した突出片で構成しても良いが図示のものは後述するシート束移送手段４６と共通の部材で構成している。
【００４６】
「サイド整合板」
処理トレイ３４にはシート側縁を位置規制するサイド整合板３８Ｌ、３８Ｒが設けられている。図４（ａ）にその構造を示すがこのサイド整合板３８Ｌ，３８Ｒは処理トレイ３４に搬入されたシートのセンターを基準に位置合わせするセンター基準と、シートの左右一側縁を基準に位置合わせするサイド基準のいずれかの構造を採用する。
【００４７】
図４（ａ）はセンター基準の整合機構を示し、処理トレイ３４上のシートの左側縁と係合する左整合板３８Ｌと、シートの右側縁と係合する右整合板３８Ｒとが、それぞれ処理トレイ３４のガイド溝（不図示）に嵌合支持され、シート幅方向に位置移動可能に設けられている。そして処理トレイ３４の底部には図４（ａ）に示すようにガイド溝に沿って一対のプーリ３９ａ、３９ｂが配置され、このプーリ３９ａ、３９ｂにベルト４０が架け渡してある。このベルト４０に左右の整合板３８Ｌ，３８Ｒが固定されている。また上記プーリ３９ｂの一方には整合モータＭＺ１が、他方には整合モータＭＺ２が連結してある。
【００４８】
このような構成で左右一対形成されている左整合板３８Ｌと右整合板３８Ｒとは、それぞれの整合モータＭＺ１，ＭＺ２の駆動でシート幅方向左右に位置移動する。そこで、左右の整合モータＭＺ１，ＭＺ２を同期して反対方向に同一量回転駆動することによって処理トレイ上に搬入されたシートをセンター基準で整合することが可能となる。
【００４９】
「シート束移送手段」
シート束移送手段４６の構成を図３に従って説明する。上述の処理トレイ３４には、集積基準位置Ｐｘと、綴じ位置Ｐｙと、折り処理位置Ｐｚが設定されている。この各位置は図３に示すようにシート搬入方向Ｓｑに沿って上流側に集積基準位置Ｐｘ、次いで折り処理位置Ｐｚが配置され、この折り処理位置Ｐｚの下流側に綴じ位置Ｐｙが設定されている。
【００５０】
この集積基準位置Ｐｘは処理トレイ３４の紙載面３４ａにシートを集積する基準として設定され、この位置に前述の規制部材３７が配置されている。上記折り処理位置Ｐｙは、シートを折り処理する位置に配置され、この位置に後述する折り処理手段５５が配置される。また、上記綴じ位置Ｐｙはシート束を綴じ処理する位置に設定され、この位置に後述する綴じ処理手段（ステープル手段）５０が配置される。
【００５１】
そこで処理トレイ３４には集積したシート束を綴じ位置Ｐｙ、折り処理位置Ｐｚの順に位置移動するシート束移送手段４６が設けられている。図３に従ってシート束移送手段４６を説明する。同図に示すシート束移送手段４６は、シート後端を位置移動する後端移送手段４６Ａと、シート先端を位置移動する先端移送手段４６Ｂで構成されている。
【００５２】
後端移送手段４６Ａは、紙載面３４ａに収納されたシート後端縁と係合する前述の規制部材３７をシート搬入方向Ｓｑに沿って移動する。このため規制部材３７は移動フレーム４１に固定され、この移動フレーム４１は装置フレーム（不図示）に紙載面３４ａに沿って移動可能に取り付けられている。この移動フレーム４１にはラック４２ｒが設けられ、このラックと噛合するピニオン４２ｐに第１シフトモータＭｓ１が連結されている。
【００５３】
一方、先端移送手段４６Ｂは、図３に示すように紙載面３４ａに収納されたシート先端縁と係合する係合片４３が、ベルト４４に取付けられ、このベルト４４を支持するプーリ４５に第２シフトモータＭｓ２が連結されている。また係合片４３の一端には支軸４３ｘが設けられており、装置内でジャムが発生した場合には支軸４３ｘを中心にして係合片４３を図示破線位置に開閉することが出来る。
【００５４】
従って第１第２シフトモータＭｓ１、Ｍｓ２を同期させて同一量ずつ正逆転することによって紙載面上のシート束は、その後端を規制部材３７で保持された状態で紙載面３４ａに沿って集積基準位置Ｐｘ、綴じ位置Ｐｙ、折り処理位置Ｐｚ間を移動することとなる。
【００５５】
なお、シート束移送手段４６は、図示のように後端移送手段４６Ａと先端移送手段４６Ｂで構成する機構に限らず、例えばシート束の後端部と先端部の一方にシート束をグリップするグリップ機構を設け、このグリップ機構を紙載面３４ａに沿って位置移動するクリップ搬送機構を採用しても良い。この他、紙載面３４ａを所定角度傾斜させてシートを自重で落下する姿勢に保持し、その下端縁を突き当て規制する規制部材３７を紙載面３４ａに沿って位置移動する機構の採用も可能である。
【００５６】
［綴じ処理手段］
処理トレイ３４には、綴じ位置Ｐｙに綴じ処理手段（ステープル手段）５０が配置される。図示の装置はシート束の中央部の２個所をステープル綴じするため図４（ａ）に示すように距離を隔てて２個所にステープル手段５０（５０Ａ、５０Ｂ）が配置されている。このステープル手段５０の構成を図４（ｂ）に従って説明する。このステープル手段（綴じ処理手段）５０は、ドライバ機構部５０ａとクリンチャ機構部５０ｂで構成されている。ドライバ機構部５０ａはシート束にステープル針を刺入するドライバ部材５２と、ステープル針を収容したカートリッジ５１とから構成されている。図示しないがカートリッジ５１には直線針を帯状に連結させたシート形状或いはロール形状のブランク針が内蔵され、順次その先端からドライバ部材にブランク針を供給するように構成されている。
【００５７】
また、ドライバ機構部５０ａは板状のドライバプレートとフォーマ部材とダイス部材を内蔵したドライバ部材５２で構成され、ドライバプレートとフォーマ部材を上死点から下死点に移動する過程で、直線形状のブランク針をフォーマ部材とダイス部材でコの字状に折り曲げる。そしてこのコの字状針をドライバプレートで上方から下方に勢いよく押下してシート束に刺入する。この為、ドライバプレートには図示しない駆動モータに連結されたドライブカムが連結されている。そして駆動モータでドライバカムを回転駆動して蓄勢スプリングに蓄力し、その蓄力でドライバプレートを上死点から下死点に移動するように構成されている。
【００５８】
また、クリンチャ機構部５０ｂはシート束に刺入されたステープル針の先端を折り曲げるための折曲げ溝（アンビル部材）５３で構成されている。そしてドライバ機構部５０ａとクリンチャ機構部５０ｂはユニットフレームに一体に取付けられ、ドライバ部材５２は図５上下方向に揺動可能に軸支持されている。なお、ステープル手段（ユニット）５０の構造は、例えば日本国特許第３４３６０２２号公報、日本国特許第３６２０３５１号公報などで知られている。
【００５９】
上述のステープル手段５０は図４（ａ）に示すシート幅方向に距離を隔てて複数（図示のものは２個所）配置され、このステープル手段５０は図３に示すように処理トレイ３４の綴じ位置Ｐｙに配置されている。そして外装ケーシング３０には開閉扉５４ａ，５４ｂが設けられている。この開閉扉５４ｂを開口してステープル手段５０の針交換（カートリッジ交換）をおこなう。特に図示のものは処理トレイ３４の折り処理機構（折り処理位置Ｐｚ）の下流側にステープル手段５０が配置してあるから外装ケーシング３０に近接し、針交換が容易である。
【００６０】
［折り処理手段］
処理トレイ３４の折り処理位置Ｐｚには折り処理手段５５が配置されている。この折り処理手段５５の構成を図５に従って説明する。折り処理手段５５は、折りロール対５７（５７ａ、５７ｂ）と折りブレード５８で構成されている。折りロール対５７は互いに圧接したロール５７ａ、５７ｂで構成され、各ロールは、最大サイズシートの幅長さに形成されている。図示５７Ｓは圧接スプリングである。尚このロール５７ａ、５７ｂは少なくとも一方が圧接方向に移動可能に軸支持され、その一方に付勢スプリングを掛け渡す構造であっても良い。
【００６１】
上記折りロール対５７は、処理トレイ３４の上方に配置され、このトレイの紙載面３４ａを挟んで対向する位置にナイフエッジを有する折りブレード５８が設けられている。この折りブレード５８はシートから退避した退避位置（図５実線）と、折りロール対５７のニップ位置との間で往復動可能に装置フレームに支持されている。この折りブレード５８にはブレード駆動手段５６が連結されている。
【００６２】
ブレード駆動手段５６は、ブレード駆動モータＭＢと、その回転を伝動する伝動ピニオン５８ｐと、ラック５８ｒで構成され、ブレード駆動モータＭＢの正逆転で折りブレード５８は待機位置（図５実線）から作動位置（破線）に移動する。従って処理トレイ３４上に集積されたシート束は折りブレード５８で折りロール対５７のニップ位置に押し出され、ロール対で折り処理される。
【００６３】
［スタック部］
次にスタック部Ｂ２の構成について図３に従って説明する。後処理ニユットＢは画像形成ユニットＡの上方に配置され、その後処理部Ｂ１は右上方に配置され、スタック部Ｂ２は左上方に配置されている。そして後処理部Ｂ１は画像形成ユニットＡのシート排紙方向Ｓｚと同一方向に案内されたシートを後処理するように処理トレイ３４が位置し、スタック部Ｂ２は画像形成ユニットＡの排紙方向と反対方向に案内されたシートを収容するように単シートスタッカ３２が位置している。
【００６４】
スタック部Ｂ２は、折り処理しないシートを収納する単シートスタッカ３２と、折り処理したシートを収納する折シートスタッカ３３で構成されている。後処理ユニットＢの外装ケーシング３０には、上方に折シートスタッカ３３が、下方に単シートスタッカ３２が上下並列に配置されている。単シートスタッカ３２は、シートを積載収納するトレイと、このトレイを積載量に応じて昇降するトレイ昇降機構（不図示）で構成されている。この単シートスタッカ３２と画像形成ユニットＡの排紙経路２５との間に単シート搬出経路２５ｚが設けられている。折シートスタッカ３３は、シートを積載収納するトレイで構成され、この折シートスタッカ３３と処理トレイ３４の折りロール対５７との間に折シート搬出経路２５ｙが設けられている。
【００６５】
［シート搬出経路の構成］
上記単シート搬出経路２５ｚと折シート搬出経路２５ｙの構成を図３に従って説明する。単シート搬出経路２５ｚは、画像形成ユニットＡの排紙経路２５に連なるように前述の排紙パス（直線経路）２５ｘから分岐し、シートを単シートスタッカ３２に案内する湾曲パスで構成されている。この単シート搬出経路２５ｚは、排紙経路２５のシート排紙方向Ｓｚと反対方向にシートをＵターンさせて案内する。なお図示２６は経路切換手段であり、画像形成ユニットＡから送られたシートを処理トレイ３４方向と単シートスタッカ３２方向に振り分け搬送する。
【００６６】
上記折シート搬出経路２５ｙは処理トレイ３４に配置されている折りロール対５７から送られた折シートを折シートスタッカ３３に案内する。図３から明らかなように単シート搬出経路２５ｚと折シート搬出経路２５ｙは、共に湾曲した経路で構成され、折シート搬出経路２５ｙの曲率は単シート搬出経路２５ｚの曲率より小さく、折シート搬出経路２５ｙは直線に近いパスに形成されている。なお、上記単シート搬出経路２５ｚと折シート搬出経路２５ｙには、それぞれシート（束）を搬送する搬送ローラが配置され、駆動モータ（不図示）に連結されている。
【００６７】
上述のように図１の装置は、画像形成ユニットＡのシート給紙方向Ｓｋに対しシート排紙方向Ｓｚを反対方向に設定し、このシート排紙方向Ｓｚに対して単シート排紙方向Ｓａと折シート排紙方向Ｓｂを反対方向に配置（図１参照）したことを特徴としている。これによってシートは装置内をＺ状にジグザクに移動することによって装置の集密化を図っている。
【００６８】
［装置フレーム］
上述の画像形成ユニットＡと後処理ニユットＢとは、次のように装置フレーム６０に組み込まれて一体化される。その装置フレーム構造を図６に従って説明する。画像形成ユニットＡと後処理ユニットＢとはそれぞれ独立した外装ケーシング（１０、３０）を備えている。特に画像形成ユニットＡには、その外装ケーシング１０には排紙経路２５に連なるスタッカ５９（図１、３参照）が設けられている。
【００６９】
装置フレーム６０は、画像形成ユニットＡの収容部（下部取付スペース）６０Ａと、後処理ニユットＢの収容部（上部取付スペース）６０Ｂを形成するフレーム構造に構成されている。図示のフレーム構造は、複数の設置脚６１（６１ａ〜６１ｆ）と、補強連結アーム６２（６２ａ、６２ｂ、６２ｃ）と、底板６３でハウジングを構成している。そしてこの底板６３（下部取付スペース）に画像形成ユニットＡを収容し、その上部（上部取付スペース）に後処理ニユットＢが収容されている。この後処理ニユットＢは設置脚６１（６１ａ〜６１ｆ）に直接取り付けられている。
【００７０】
画像形成ユニットＡは底板６３に形成されている位置決めピン６４（６４ａ、６４ｂ、６４ｃ）に嵌合されその位置が設定（固定）される。このように装置フレーム６０と画像形成ユニットＡとは位置決め部材（嵌合ピン、段差、）で位置決めされ、前述の排紙経路２５と排紙パス（直線経路）２５ｘが合致（高さ方向と幅方向）するようになっている。
【００７１】
後処理ニユットＢは、装置フレーム６０の設置脚６１（６１ａ〜６１ｆ）に載置支持され、図６に示す第１ヒンジ軸６５を中心にユニット全体が回動する。図７に開閉状態を示すが、装置フレーム６０に後処理ユニットＢは第１ヒンジ軸６５を中心に同図矢印Ａ方向に回転可能に支持されている。そして後処理ユニットＢのフレーム（不図示）は装置フレーム６０に載置支持されている。この第１ヒンジ軸６５の開閉を補助する緩衝部材（不図示）が設けられている。
【００７２】
つまり、図示しないが後処理ユニットＢは装置フレーム６０に載置支持されているのと同時に、第１ヒンジ軸６５を中心に所定角度範囲内で回動可能に支持され、その開閉動作を補助する緩衝部材が設けられている。この緩衝部材は例えば一端を装置フレーム側に、他端をユニット側に軸支持した揺動アームと、後処理ユニットＢの荷重を軽減する付勢スプリング（或いはエアースプリング）などの緩衝機構で構成している。
【００７３】
そこで装置フレーム６０と後処理ユニットＢとの間には第１ロック手段６６が設けてあり、この第１ロック手段６６のロックを解除することによって後処理ユニットＢが図７の状態に回動する。この第１ロック手段６６は、既に広く知られているので詳述しないが、装置フレーム６０と後処理ユニットＢとの間に、その一方にロック爪を有する開閉レバー６６ａを設け、他方にこのロック爪と係合する係合爪６６ｂを設ける。そして開閉レバー６６ａを使用者が操作することによって係合が解除され後処理ユニットＢが回動可能となる。
【００７４】
従って後処理ユニットＢを図７の状態に回動すると、同図に示すように装置フレーム６０に収容した画像形成ユニットＡの上方が開放される。そこで例えば画像形成ユニットＡの排紙経路２５にシートジャムが発生したときには外装ケーシング１０の一部を開放することによって排紙経路２５のジャムシートＪ１を取り外すことが出来る。このため画像形成ユニットＡの外装ケーシング１０はその一部が排紙経路２５を開放するように開閉可能になっている。
【００７５】
また、後処理ユニットＢには、処理トレイ３４と、単シート搬出経路２５ｚと折シート搬出経路２５ｙと、単シートスタッカ３２と折シートスタッカ３３が前述のように設けられている。そこで処理トレイ３４でシートジャムなどの不具合が生じたときには、図７の状態にユニット全体を回動する。
【００７６】
この状態で前述の処理トレイ３４の紙載面３４ａを有する移動フレーム４１は、第２ヒンジ軸４７で回動可能に構成されている。そこで図７に示すように第２ヒンジ軸４７を中心に移動フレーム４１（紙載台）を揺動することによって処理トレイ３４でジャムしたジャムシートＪ２を外部に取り出すことが出来る。なお、この移動フレーム４１の開閉動作もロック手段（不図示）の操作でおこなう。このロック手段も前述の第１ロック手段６６と同様の構造を採用すれば良い。
【００７７】
また、後処理ユニットＢは、単シート搬出経路２５ｚと折シート搬出経路２５ｙに発生したシートジャムを除去するために次の構成を備えている。図８（ａ）は折シート搬出経路２５ｙに発生したジャムシートＪ３を取り外す状態を示す。後処理ユニットＢは折シート搬出経路２５ｙを開放するため経路ガイドの一部（上部搬送ガイド）を第３ヒンジ軸６７で回動可能に構成してあり、折シート搬出経路２５ｙにシートジャムが発生したときには、外装ケーシング３０の一部を第３ヒンジ軸６７を中心に図８（ａ）の状態に回動する。この状態で折シート搬出経路２５ｙのジャムシートＪ３を外部に取り出すことが出来る。
【００７８】
また、図８（ｂ）は単シート搬出経路２５ｚに発生したジャムシートＪ４を取り外す状態を示す。先と同様に後処理ニユットＢは第３ヒンジ軸６７を中心に単シート搬出経路２５ｚの経路ガイドの一部（上部搬送ガイド）を回動可能に構成してある。そしてこの第３ヒンジ軸６７を中心に同図の状態に後処理ユニットＢの一部を回動することによって単シート搬出経路２５ｚのジャムシートＪ４を外部に取り出すことが可能となる。
【００７９】
なお、図８（ａ）に示す折シート搬出経路２５ｙの上部搬送ガイドの開閉部には前述の第１ロック手段６６と同様に第２ロック手段６８が設けてあり、同様に単シート搬出経路２５ｚの上部搬送ガイドの開閉部には第３ロック手段６９が設けてある。そして図６に示すように第１ロック手段６６を操作（ロック解除）すると第１ヒンジ軸６５を中心にユニット全体が回動する（図７の状態）。また、第２ロック手段６８をロック解除すると折シート搬出経路２５ｙを開放するようにユニットの一部が回動する（図８（ａ）の状態）。同様に第３ロック手段６９をロック解除すると単シート搬出経路２５ｚを開放するようにユニットの一部が回動する（図８（ｂ）の状態）。
【００８０】
図示の装置は、このように画像形成ユニットＡの排紙経路２５の上方に後処理ユニットＢの単シート搬出経路２５ｚを、更にその上方に折シート搬出経路２５ｙを上下並列に配置し、後処理ユニットＢを第１ヒンジ軸６５と第３ヒンジ軸６７で回動して経路を開放するように構成している。これによって例えば最上部に位置する折シート搬出経路２５ｙを開放し、次いで単シート搬出経路２５ｚを開放し、最後に画像形成ユニットＡの排紙経路２５を開放することによって装置内のジャムシートを簡単に発見し、容易に除去することが可能となる。
【００８１】
なお、画像形成ユニットＡ内のシートジャムは経路内に配置したシートセンサでジャム検出するのと同様にそのジャム位置を表示する。これと同様に後処理ニユットＢ内のシートジャムも経路内（処理トレイ、単シート搬出経路、折シート搬出経路など）にシートセンサでジャム検出するのと同様にそのジャム位置を表示する。
【００８２】
［制御構成］
図１に示す装置の制御構成について図９に従って説明する。画像形成ユニットＡには制御ＣＰＵ７０が設けられ、この制御ＣＰＵ７０には動作プログラムを記憶したＲＯＭ７１と、制御データを記憶したＲＡＭ７２が接続されている。そして制御ＣＰＵ７０には給紙制御部７３と画像形成制御部７４と、排紙制御部７５が設けられている。これと共に制御ＣＰＵ７０には入力手段７６と、表示手段７７を備えたコントローラパネル７８が接続されている。そこで制御ＣＰＵ７０に設けられたモード設定手段７９で、画像形成条件が設定される。
【００８３】
上記モード設定手段７９は、種々の画像形成条件（例えばカラー、モノクロ、縮倍など）を設定するのと同時に「片面印刷モード」と「両面印刷モード」を設定するように構成されている。「片面印刷モード」は、給紙部Ａ１から送られたシートの片面に画像を形成し、排紙経路２５から搬出する。また「両面印刷モード」は給紙部Ａ１から送られたシートの片面に画像を形成した後、このシートを表裏反転して裏面に画像形成し、排紙経路２５から搬出する。
【００８４】
また、上記制御ＣＰＵ７０は、「プリントアウトモード」と「後処理モード」を選定するように構成されている。「プリントアウトモード」は画像形成したシートを仕上げ処理することなく単シートスタッカ３２に収納する。また「後処理モード」は画像形成したシートを部揃え集積し、綴じ処理した後に折り合わせて折シートスタッカ３３に収納する。
【００８５】
後処理ニユットＢには、後処理制御ＣＰＵ８０が設けられ、制御プログラムを記憶したＲＯＭ８１と制御データを記憶したＲＡＭ８２が接続されている。そしてこの制御ＣＰＵ８０には画像形成ユニットＡの制御部からシートサイズ情報と、排紙指示信号と、後処理モードとプリントアウトモードのモード設定コマンドが転送される。
【００８６】
制御ＣＰＵ８０は、単シート搬出経路２５ｚの搬送ローラを回転制御する排紙制御部８３と、処理トレイ３４にシートを部揃え集積する集積制御部８４と、綴じ処理制御部８５と、折り処理制御部８６と、折シート搬出経路２５ｙの搬送ローラを回転制御する排紙制御部８７が設けられている。
【００８７】
［動作説明］
上述の画像形成ユニットＡの制御ＣＰＵ７０はＲＯＭ７１に記憶された画像形成プログラムに従って以下の画像形成動作を実行する。同様に上述の後処理ユニットＢの制御ＣＰＵ８０はＲＯＭ８１に記憶された後処理プログラムに従って以下の後処理動作を実行する。
【００８８】
「画像形成動作」
制御ＣＰＵ７０は、モード設定手段７９で「片面印刷モード」が選択されたときには設定されたサイズのシートを給紙カセット１１から操出し、レジストローラ１４に給送する。これと前後して制御ＣＰＵ７０は中間転写ベルト２１に所定の画像データに従って画像を形成する。この画像データは図示しないデータ記憶部に記憶されているか、若しくは画像形成ユニットＡに連結された外部装置から転送される。
【００８９】
そこで制御ＣＰＵ７０は中間転写ベルト２１に形成したトナー画像をレジストローラ１４から送られたシートに転写部１５で転写し、その下流側の定着器２４で定着する。その後、制御ＣＰＵ７０は画像形成したシートを排紙経路２５に送り、後述の後処理ユニットＢに転送する。
【００９０】
また、制御ＣＰＵ７０は、モード設定手段７９で「両面印刷モード」が選択されたときには、上述の動作を実行してシートの片面に画像形成して排紙経路２５に送る。このとき制御ＣＰＵ７０は後処理ユニットＢに次の動作を実行させる。後処理ユニットＢの制御ＣＰＵ８０は、排紙経路２５にシート先端が到達したセンサＳｅ１（図３参照）の検出信号で、ガイドフラッパ２５ｆを図３実線位置に、経路切換手段２６を破線位置にシフトする。これによって排紙経路２５に送られたシートは、排紙経路２５から排紙パス（直線経路）２５ｘに送られる。
【００９１】
この経路切換え制御と同時に制御ＣＰＵ８０はシート先端が直線経路２５ｘから処理トレイ３４に搬入されると昇降ローラ３６を待機位置から作動位置に移動し、同時にこのローラを回転する。すると処理トレイ３４に搬入されたシートは昇降ローラ３６の回転で処理トレイ３４に沿って下流側に送られる。
【００９２】
次に制御ＣＰＵ８０はセンサＳｅ１でシート後端を検出するとこのシート後端がガイドフラッパ２５ｆを通過したタイミングで、このフラッパ２５ｆを図３破線位置に移動し、同時に直線経路２５ｘの排紙ローラを逆回転する。するとシートは搬送方向を反転し、排紙経路２５に後退移動（スイッチバック移動）する。このスイッチバック移動でシートは循環経路２７に送られる。
【００９３】
そこで画像形成ユニットＡの制御ＣＰＵ７０は循環経路２７に送られたシートを、この経路で表裏反転させてレジストローラ１４に送る。これと前後して制御ＣＰＵ７０は裏面画像を中間転写ベルト２１に形成し、転写部１５でシートの裏面に画像形成して、排紙経路２５に搬出する。
【００９４】
「後処理動作；プリントアウトモード」
後処理ユニットＢの制御ＣＰＵ８０は、モード設定手段７９で「プリントアウトモード」に設定されたときには、画像形成ユニットＡのセンサＳｅ１からのシート先端検知信号を受けると、経路切換手段２６を図３実線状態にシフトする。これと共にこの制御ＣＰＵ８０は単シート搬出経路２５ｚに配置されている搬送ローラを回転する。この動作で画像形成ユニットＡで画像形成されたシートは排紙経路２５、単シート搬出経路２５ｚを経て単シートスタッカ３２に収納される。
【００９５】
「後処理動作；後処理モード」
また制御ＣＰＵ８０は、モード設定手段７９で「後処理モード」に設定されたときには、画像形成ユニットＡの排紙経路２５に送られたシートを処理トレイ３４に案内する。この動作は、先と同様にセンサＳｅ１の先端検出信号でガイドフラッパ２５ｆを図３実線位置に、経路切換手段２６を破線位置にシフトする。この動作でシートは排紙経路２５から直線経路２５ｘに送られ、処理トレイ３４上に送られる。
【００９６】
そこで制御ＣＰＵ８０はセンサＳｅ１の先端検出信号から所定時間経過し、シート先端が昇降ローラ３６に到達する見込み時間で、このローラを待機位置から作動位置に移動する。これと同時に昇降ローラ３６をシート搬送方向（図３反時計方向）に回転してシート後端が規制部材３７に位置決めされた後、昇降ローラ２６を待機位置に上昇する。
【００９７】
そして制御ＣＰＵ８０は、シート後端が処理トレイ３４上に搬入された後、サイド規制板３８Ｒ、３８Ｌを制御して処理トレイ上に進入したシートを幅寄せ整合する。この動作の繰り返しで処理トレイ３４上にはシートが集積（シート集積動作）される。
【００９８】
次いで制御ＣＰＵ８０は画像形成ユニットＡからジョブ終了信号を受けると、「シート束位置移動動作」「綴じ処理動作」を実行する。ジョブ終了信号で制御ＣＰＵ８０は処理トレイ３４上の集積基準位置Ｐｘに堆積されたシート束を、この基準位置Ｐｘから綴じ位置Ｐｙに移動する。このシート束移動は、後端移送手段４６Ａと先端移送手段４６Ｂを同時に同一量移動する。なお、この場合に集積基準位置Ｐｘと綴じ位置Ｐｙが同一位置（例えばシート後端を基準位置に整合したとき、そのシート中央が綴じ位置Ｐｙに位置している）ときにはシート束を位置移動することなく次の綴じ処理動作に移行する。
【００９９】
制御ＣＰＵ８０はシート束を、シート中央（搬送方向１／２位置）が綴じ位置Ｐｙに位置するように、集積基準位置Ｐｘから綴じ位置Ｐｙに位置移動する。そして制御ＣＰＵ８０は綴じ処理手段（ステープル手段）５０にステープル動作開始指示信号を発する。この信号で、ステープル手段５０は、ユニットに内蔵されている駆動モータを開始し、ステープル動作カムを回転する。このカムの作用でステープル針はコの字に折り曲げられシート束に刺入する。そして針先端はアンビルで折り曲げられて綴じ処理される。なお、このステープル手段５０はシート幅方向２個所に配置され、同時に動作するか、相前後して動作する。
【０１００】
次に制御ＣＰＵ８０は、ステープル手段５０から動作終了信号を受けると、シート束を綴じ位置Ｐｙから折り処理位置Ｐｚに位置移動する。この折り処理位置Ｐｚは、綴じ位置Ｐｙの下流側に距離を隔てて配置されているため、処理トレイ上のシート束は集積基準位置Ｐｘから綴じ位置Ｐｙに前進し、綴じ処理後に折り処理位置Ｐｚに後退することとなる。
【０１０１】
この場合のシート束の位置移動は、前述したように後端移送手段４６Ａと先端移送手段４６Ｂを同時に同一量後退移動する。そこで制御ＣＰＵ８０は、折り処理位置Ｐｚに位置決めされたシート束を折り処理する。この折り処理動作は、折りロール対５７を図５矢印方向に回転し、これと同時に折りブレード５８を待機位置から作動位置に移動する。
【０１０２】
この折りブレード５８と折りロール対５７の動作で中央をステープル綴じされたシート束は図５に示す様に、綴じ位置を折り目に折り合わされる。そこで制御ＣＰＵ８０は、折り処理動作と前後して、折シート搬出経路２５ｙの搬送ローラを排紙方向に回転する。すると折りロール対５７で送り出されたシート束は折シート搬出経路２５ｙに沿って折シートスタッカ３３に案内され、これに収容される。
【符号の説明】
【０１０３】
Ａ          画像形成ユニット
Ｂ          後処理ユニット
Ｃ          画像形成装置
１０        外装ケーシング
１４        レジストローラ
１５        転写部
２１        中間転写ベルト
２５        排紙経路
２５ｘ      排紙パス（直線経路）
２５ｆ      ガイドフラッパ
２５ｚ      単シート搬出経路
２５ｙ      折シート搬出経路
２６        経路切換手段
３０        外装ケーシング
３２        単シートスタッカ
３３        折シートスタッカ
３４        処理トレイ
３６        昇降ローラ
３７        規制部材
４１        移動フレーム
４６        シート束移送手段
４６Ａ      後端移送手段
４６Ｂ      先端移送手段
４７        第２ヒンジ軸
５０        綴じ処理手段（ステープル手段）
５５        折り処理手段
６０        装置フレーム
６０Ａ      画像形成ユニットの収容部（下部取付スペース）
６０Ｂ      後処理ニユットの収容部（上部取付スペース）
６１        設置脚（６１ａ〜６１ｆ）
６２        補強連結アーム（６２ａ、６２ｂ、６２ｃ）
６３        底板
６４        位置決めピン（６４ａ、６４ｂ、６４ｃ）
６５        第１ヒンジ軸
６６        第１ロック手段
６７        第３ヒンジ軸
６８        第２ロック手段
６９        第３ロック手段
Ｓｋ        シート給紙方向
Ｓｙ        シート給送方向
Ｓｚ        シート排紙方向
Ｓａ        単シート排紙方向
Ｓｂ        折シート排紙方向
【図１】
2012093670.tif 000003
【図２】
2012093670.tif 000004
【図３】
2012093670.tif 000005
【図４】
2012093670.tif 000006
【図５】
2012093670.tif 000007
【図６】
2012093670.tif 000008
【図７】
2012093670.tif 000009
【図８】
2012093670.tif 000010
【図９】
2012093670.tif 000011